(57)【要約】【課題】より効率的に特定の施設が写った撮影画像を取得することができる通信システム、ユーザ端末及びサーバを提供することである。【解決手段】実施形態の通信システムは、判定部と、ユーザ端末制御部と、サーバ制御部と、を持つ。判定部は、ユーザ端末の撮像装置によって撮像された撮像画像に、特定の施設の形状として定義される所定の条件を満たす形状である特定形状が含まれるか否か判定する。ユーザ端末制御部は、前記撮像画像を、ユーザ端末からサーバに送信する。サーバ制御部は、前記判定部によって前記特定形状が含まれると判定された撮像画像がサーバにおいて受信されたことに応じて、前記ユーザ端末に対し所定の利益を与えることを示すクーポンの情報を付与する。【選択図】図８
2018147194.tif 000002
【特許請求の範囲】
【請求項１】
ユーザ端末の撮像装置によって撮像された撮像画像に、特定の施設の形状として定義される所定の条件を満たす形状である特定形状が含まれるか否か判定する判定部と、
前記撮像画像を、ユーザ端末からサーバに送信するユーザ端末制御部と、
前記判定部によって前記特定形状が含まれると判定された撮像画像がサーバにおいて受信されたことに応じて、前記ユーザ端末に対し所定の利益を与えることを示すクーポンの情報を付与するサーバ制御部と、
を備える通信システム。
【請求項２】
前記サーバ制御部は、前記撮像画像が撮像された位置に応じたクーポンの情報を付与する、請求項１に記載の通信システム。
【請求項３】
前記ユーザ端末制御部は、前記撮像画像に対応付けて、前記撮像画像が撮像された位置を示す位置情報を前記サーバに送信する、請求項１又は２に記載の通信システム。
【請求項４】
前記ユーザ端末制御部は、前記撮像画像に対応付けて、前記撮像画像に撮像された前記特定の施設に対する評価を示す評価情報を前記サーバに送信し、
前記サーバ制御部は、前記評価情報を記憶部に記録する、請求項１から３のいずれか一項に記載の通信システム。
【請求項５】
前記サーバ制御部は、前記記憶部に記録された評価に基づいて、前記特定の施設について劣化等の悪い事象が生じていると推認できる条件を満たしているか否か判定し、前記条件が満たされた場合には、予め定められた者に対し警告を出力する、請求項４に記載の通信システム。
【請求項６】
画像を撮像する撮像部と、
前記撮像部によって撮像された撮像画像に、特定の施設の形状として定義される所定の条件を満たす形状である特定形状が含まれるか否か判定し、前記特定形状が含まれていると判定された前記撮像画像をサーバに送信し、前記サーバから所定の利益を与えることを示すクーポンの情報を受信する制御部と、
を備えるユーザ端末。
【請求項７】
ユーザ端末から撮像画像を受信し、前記撮像画像に特定の施設の形状として定義される所定の条件を満たす形状である特定形状が含まれる場合に、前記ユーザ端末に対し所定の利益を与えることを示すクーポンの情報を付与する制御部、を備えるサーバ。
【請求項８】
ユーザ端末の撮像装置によって撮像された撮像画像に、特定の施設の形状として定義される所定の条件を満たす形状である特定形状が含まれるか否か判定する判定部と、
前記撮像画像を、前記撮像画像が撮像された位置を示す位置情報とともにユーザ端末からサーバに送信するユーザ端末制御部と、
前記撮像画像及び前記位置情報を対応付けて記憶装置に記録するサーバ制御部と、
を備える通信システム。
【発明の詳細な説明】
【技術分野】
【０００１】
本発明の実施形態は、通信システム、ユーザ端末及びサーバに関する。
【背景技術】
【０００２】
近年、スマートフォン等の携帯端末の普及が進んでいる。また、殆どの携帯端末が撮像装置を備えている。このような状況を利用して、不特定多数のユーザから特定の施設が写った撮影画像を収集するシステム等が提案されている。
しかしながら、不特定多数のユーザにおいて、特定の施設が写った撮影画像をシステムに提供することのメリットが見いだしにくく、必ずしも有効に撮影画像を収集できない場合があった。
【先行技術文献】
【特許文献】
【０００３】
【特許文献１】特開２０１１−２４８８３２号公報
【発明の概要】
【発明が解決しようとする課題】
【０００４】
本発明が解決しようとする課題は、より効率的に特定の施設が写った撮影画像を取得することができる通信システム、ユーザ端末及びサーバを提供することである。
【課題を解決するための手段】
【０００５】
実施形態の通信システムは、判定部と、ユーザ端末制御部と、サーバ制御部と、を持つ。判定部は、ユーザ端末の撮像装置によって撮像された撮像画像に、特定の施設の形状として定義される所定の条件を満たす形状である特定形状が含まれるか否か判定する。ユーザ端末制御部は、前記撮像画像を、ユーザ端末からサーバに送信する。サーバ制御部は、前記判定部によって前記特定形状が含まれると判定された撮像画像がサーバにおいて受信されたことに応じて、前記ユーザ端末に対し所定の利益を与えることを示すクーポンの情報を付与する。
【図面の簡単な説明】
【０００６】
【図１】通信システム１００のシステム概略を示す図である。
【図２】ユーザ端末１０の機能構成を示す概略ブロック図である。
【図３】サーバ２０の機能構成を示す概略ブロック図である。
【図４】エリア情報テーブルの具体例を示す図である。
【図５】マンホール情報テーブルの具体例を示す図である。
【図６】評価情報テーブルの具体例を示す図である。
【図７】ロゴ情報テーブルの具体例を示す図である。
【図８】ユーザ端末１０からサーバ２０に対してマンホールの評価が登録される際の処理の具体例を示すシーケンスチャートである。
【図９】形状判定処理の具体例を示すフローチャートである。
【図１０】登録処理の具体例を示すフローチャートである。
【図１１】撮像モードにおいて制御部１７が表示部１３に表示される画面の具体例である。
【図１２】撮像モードにおいて制御部１７が表示部１３に表示される画面の具体例である。
【図１３】評価入力画面の具体例を示す図である。
【図１４】共有画面の具体例を示す図である。
【図１５】クーポン画面の具体例を示す図である。
【図１６】アルバム画面の具体例を示す図である。
【発明を実施するための形態】
【０００７】
以下、実施形態の通信システム、ユーザ端末及びサーバを、図面を参照して説明する。
図１は、通信システム１００のシステム概略を示す図である。まず、通信システム１００の概略について説明する。通信システム１００は、複数のユーザ端末１０及びサーバ２０を備える。各ユーザ端末１０（以下、ユーザ端末１０とする）とサーバ２０とは、ネットワーク３０を介して互いに通信可能である。通信システム１００では、ユーザ端末１０によって撮像された特定の施設の画像が、ネットワーク３０を介してサーバ２０に送信される。特定の施設は例えばマンホールである。サーバ２０が、ユーザ端末１０からマンホールの画像を受信すると、所定のクーポンに関する情報を、送信元のユーザ端末１０に送信する。クーポンとは、ユーザに対して所定の利益を与えることを示す概念である。クーポンは、例えば所定の割引、所定のサービス、所定の商品をユーザが受けることを示すものである。例えば、クーポンは、撮像された特定の施設（マンホール）の位置に応じて、その近辺に位置する店舗によって所定の利益がユーザに対して与えられることを示すものであってもよい。このようにユーザ端末１０のユーザに対しクーポンというインセンティブを与えることによって、より効率的にマンホールの画像を取得することが可能となる。以下、通信システム１００の詳細について説明する。なお、特定の施設は、必ずしもマンホールに限定される必要は無い。例えば、携帯基地局、ビル、信号機など、どのような設備であってもよい。
【０００８】
ユーザ端末１０は、スマートフォン、携帯電話機、携帯ゲーム機又はタブレット等の携帯可能な情報処理装置を用いて構成される。ユーザ端末１０は、バスで接続されたＣＰＵ（Central Processing Unit）やメモリや補助記憶装置などを備える。ユーザ端末１０は、ユーザプログラムを実行することによって機能する。なお、ユーザ端末１０がユーザプログラムを実行することによって実現する機能の全て又は一部は、ＡＳＩＣ（Application Specific Integrated Circuit）やＦＰＧＡ（Field Programmable Gate Array）等のハードウェアを用いて実現されてもよい。ユーザプログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。ユーザプログラムは、電気通信回線を介して送信されてもよい。
【０００９】
図２は、ユーザ端末１０の機能構成を示す概略ブロック図である。ユーザ端末１０は、通信部１１、操作部１２、表示部１３、撮像部１４、記憶部１５、位置情報取得部１６及び制御部１７を備える。
【００１０】
通信部１１は、通信インタフェースである。通信部１１は、ネットワーク３０を介してサーバ２０との間で通信する。通信部１１は、例えば無線通信によってネットワーク３０に接続してもよいし、有線通信によってネットワーク３０に接続してもよい。
【００１１】
操作部１２は、キーボード、ポインティングデバイス（マウス、タブレット等）、ボタン、タッチパネル等の既存の入力装置を用いて構成される。操作部１２は、ユーザの指示をユーザ端末１０に入力する際にユーザによって操作される。操作部１２は、入力装置をユーザ端末１０に接続するためのインタフェースであっても良い。この場合、操作部１２は、入力装置においてユーザの入力に応じ生成された入力信号をユーザ端末１０に入力する。
【００１２】
表示部１３は、液晶ディスプレイ、有機ＥＬ（Electro Luminescence）ディスプレイ等の画像表示装置である。表示部１３は、文字や画像を表示する。表示部１３は、画像表示装置をユーザ端末１０に接続するためのインタフェースであっても良い。この場合、表示部１３は、文字や画像を表示するための映像信号を生成し、自身に接続されている画像表示装置に映像信号を出力する。なお、操作部１２及び表示部１３は、タッチパネルのように一体の装置として構成されてもよい。
【００１３】
撮像部１４は、ＣＣＤ（Charge-Coupled Device）やＣＭＯＳ（Complementary Metal Oxide Semiconductor）などの撮像素子を備えたカメラを用いて構成される。撮像部１４は、操作部１２に対するユーザの操作に応じて画像を撮像する。撮像部１４は、撮像装置をユーザ端末１０に接続するためのインタフェースであっても良い。この場合、撮像部１４は、撮像装置においてユーザの入力に応じ撮影された画像のデータをユーザ端末１０に入力する。
【００１４】
記憶部１５は、磁気ハードディスク装置や半導体記憶装置等の記憶装置を用いて構成される。記憶部１５は、撮像部１４によって撮像された画像のデータを記憶する。記憶部１５は、その他にも制御部１７の制御に応じて種々のデータを記憶する。
【００１５】
位置情報取得部１６は、ユーザ端末１０の現在位置の位置情報を取得する。位置情報取得部１６は、例えば衛星測位システムや携帯電話網の基地局との通信などによって現在位置の位置情報を取得する。衛星測位システムの具体例として、ＧＰＳ（Global Positioning System）やＧａｌｉｌｅｏ等がある。位置情報取得部１６は、取得した位置情報を制御部１７へ出力する。
【００１６】
制御部１７は、ユーザ端末１０の動作を制御する。制御部１７は、撮像部１４によって撮像された画像において、処理対象となっている特定の施設（本実施形態ではマンホール）の形状として定義される所定の条件を満たす形状（以下「特定形状」という。）が存在するか否か判定する。例えば、撮像された画像においてエッジを強調させるフィルタ処理を実行し、強調されたエッジの中に所定の大きさ以上の略円形又は略楕円形の形を有するエッジが含まれているか否か判定する。この場合、所定の大きさ以上の略円形又は略楕円形が特定形状である。撮像画像において特定形状に該当するエッジが含まれている場合には、制御部１７は特定形状が撮像画像内に存在すると判定する。制御部１７は、特定形状が含まれていると判定すると、ユーザに対しマンホールの評価を示す情報（評価情報）の入力を求める。制御部１７は、評価情報が入力されると、入力された評価情報と撮像されたマンホールの画像とを含む登録情報を生成する。制御部１７は、生成された登録情報を、サーバ２０に対して送信する。制御部１７は、登録情報の送信に応じてサーバ２０からクーポン情報及び関連情報を受信する。尚、クーポン情報と関連情報のいずれか一方を受信する構成であってもよい。制御部１７は、クーポン情報を受信すると、受信されたクーポン情報を記憶部１５に記録し表示部１３に表示する。また、制御部１７は、関連情報を受信すると、受信された関連情報を表示部１３に表示する。
【００１７】
サーバ２０は、サーバ装置等の情報処理装置を用いて構成される。サーバ２０は、バスで接続されたＣＰＵやメモリや補助記憶装置などを備える。サーバ２０は、サーバプログラムを実行することによって機能する。なお、サーバ２０がサーバプログラムを実行することによって実現する機能の全て又は一部は、ＡＳＩＣやＦＰＧＡ等のハードウェアを用いて実現されてもよい。また、サーバプログラムや後述の記憶部２２乃至２６の一部は、サーバ２０と物理的に分離された別のサーバに分離された構成であってもよい。この場合、サーバ２０と協働するサーバは、ネットワーク３０を介して接続される。サーバプログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。サーバプログラムは、電気通信回線を介して送信されてもよい。
【００１８】
図３は、サーバ２０の機能構成を示す概略ブロック図である。サーバ２０は、通信部２１、エリア情報記憶部２２、ユーザ情報記憶部２３、マンホール情報記憶部２４、評価情報記憶部２５、ロゴ情報記憶部２６及び制御部２７を備える。
【００１９】
通信部２１は、通信インタフェースである。通信部２１は、ネットワーク３０を介してユーザ端末１０との間で通信する。通信部２１は、例えば無線通信によってネットワーク３０に接続してもよいし、有線通信によってネットワーク３０に接続してもよい。
【００２０】
エリア情報記憶部２２は、磁気ハードディスク装置や半導体記憶装置等の記憶装置を用いて構成される。エリア情報記憶部２２は、エリア情報テーブルを記憶する。図４は、エリア情報テーブルの具体例を示す図である。エリア情報テーブルは、複数のエリア情報レコードを有する。エリア情報レコードは、エリアＩＤ、エリア位置情報、複数のクーポン情報（クーポン１、クーポン２、・・）、関連情報の各値を有する。
【００２１】
エリアＩＤは、実際の土地を区切ることによって得られる複数の領域のそれぞれを一意に表す識別情報である。エリアＩＤは、サーバ２０を設計する者や管理する者によって予め適宜設定される。エリアＩＤは、例えば行政区画によって定められる各区画に対して割り当てられた識別情報であってもよいし、サーバ２０を設計する者や管理する者によって独自に区切られた各区画に対して割り当てられた識別情報であってもよい。
【００２２】
エリア位置情報は、エリアＩＤによって示される領域の位置情報を示す。例えば、エリア位置情報は、エリアＩＤによって示される領域の境界線を緯度・経度を用いて示す情報であってもよい。
【００２３】
クーポン情報は、エリアＩＤによって示される領域においてユーザが所定の条件を満たした場合に、そのユーザに対して与えられるクーポンの情報を示す。クーポン情報は、例えばクーポンの対象となる企業や店舗を示す情報、クーポンの内容を示す情報、クーポンの有効期限、クーポンが利用可能となる条件、クーポン情報がユーザ端末１０において表示される際の画像などを示す情報である。
【００２４】
関連情報は、エリアＩＤによって示される領域に関連する情報である。関連情報は、例えばその領域の歴史に関する情報であってもよい。関連情報は、例えばその領域に関連する企業や店舗やサービスに関する広告の情報であってもよい。関連情報は、例えばその領域において開催される予定のあるイベントのスケジュールであってもよい。関連情報は、例えばその領域に関連する団体（スポーツチーム、文化団体、コミュニティ等）を紹介する情報であってもよい。
【００２５】
ユーザ情報記憶部２３は、磁気ハードディスク装置や半導体記憶装置等の記憶装置を用いて構成される。ユーザ情報記憶部２３は、ユーザ端末１０の各ユーザに関する情報を記憶する。このような情報は、例えばユーザ情報テーブルとして管理されてもよい。ユーザ情報記憶部２３は、例えば、ユーザのＩＤ、ユーザの氏名、ユーザの属性情報（年齢、性別、居住地域、好みなど）、ユーザによって過去に登録されたマンホールの画像データ、ユーザによって過去に取得されたロゴのロゴＩＤ（以下「取得済みロゴＩＤ」という。）、ユーザによって既に画像が登録されたマンホールのマンホールＩＤ（以下「登録済みマンホールＩＤ」という。）、ユーザに対して付与されたクーポンを示すクーポン情報を対応付けてユーザ情報テーブルとして記憶する。
【００２６】
マンホール情報記憶部２４は、磁気ハードディスク装置や半導体記憶装置等の記憶装置を用いて構成される。マンホール情報記憶部２４は、特定の施設に関する情報の一例であるマンホール情報テーブルを記憶する。図５は、マンホール情報テーブルの具体例を示す図である。マンホール情報テーブルは、複数のマンホール情報レコードを有する。マンホール情報レコードは、マンホールＩＤ、位置情報、エリアＩＤの各値を有する。マンホールＩＤは、マンホールを一意に表す識別情報である。位置情報は、マンホールＩＤによって示されるマンホールの位置を示す情報である。位置情報は、例えばマンホールＩＤによって示されるマンホールの緯度及び経度を示す情報であってもよい。エリアＩＤは、マンホールＩＤによって示されるマンホールが位置する領域のエリアＩＤである。
【００２７】
評価情報記憶部２５は、磁気ハードディスク装置や半導体記憶装置等の記憶装置を用いて構成される。評価情報記憶部２５は、複数の評価情報テーブルを記憶する。評価情報テーブルは、ユーザによってマンホールに対してなされた評価を示すテーブルである。評価情報記憶部２５は、例えばマンホールＩＤ毎に評価情報テーブルを記憶してもよい。また、マンホールＩＤ若しくは位置情報を項目の一つに加えた場合、評価情報テーブルは１つで構成することも可能である。図６は、評価情報テーブルの具体例を示す図である。評価情報テーブルは、複数の評価情報レコードを有する。評価情報レコードは、ユーザ端末１０のユーザによって登録された評価毎に登録されてもよい。評価情報レコードは、日時、評価者ＩＤ、評価、画像データの各値を有する。
【００２８】
日時は、ユーザによって評価がなされた日時を示す。日時は、例えばユーザによってマンホールの画像が撮像された日時であってもよいし、ユーザ端末１０から評価が送信された日時であってもよいし、ユーザ端末１０からサーバ２０が評価を受信した日時であってもよいし、サーバ２０が受信された評価に応じた評価情報レコードを評価情報テーブルに登録した日時であってもよい。少なくともマンホールの画像が撮影された日時が含まれるよう、日時を記録する目的に応じて、複数の日時情報を記録できる構成が好ましい。
【００２９】
評価者ＩＤは、評価を行ったユーザのユーザＩＤを示す。
評価は、評価の内容を表す。例えば、評価が複数の項目について５段階の値で示される場合には、項目毎に評価の値が登録されてもよい。例えば、評価は、マンホールの外観が汚いか綺麗かを５段階で示す情報であってもよい。例えば、１は非常に汚いことを示し、５は非常に綺麗であることを示してもよい。例えば、評価は、マンホールの周囲が臭いか無臭であるかを５段階で示す情報であってもよい。例えば、１は非常に臭いことを示し、５は殆ど無臭であることを示してもよい。その他に例えば、評価の項目について「はい」「いいえ」などの２つの選択肢が示される場合には、「はい」を１、「いいえ」を０の値として、その評価の値が登録されてもよい。その場合例えば、マンホールの外観の破損について「ある」「なし」の２つの選択肢で示す情報であってもよい。
【００３０】
画像データは、評価の際に撮像されたマンホールの画像のデータである。マンホールの画像のデータは、ユーザ端末１０から評価の結果と共にサーバ２０に対して送信される。サーバ２０は、受信された評価の内容とマンホールの画像とを対応付けて、評価情報レコードに登録する。
【００３１】
ロゴ情報記憶部２６は、磁気ハードディスク装置や半導体記憶装置等の記憶装置を用いて構成される。ロゴ情報記憶部２６は、ロゴ情報テーブルを記憶する。図７は、ロゴ情報テーブルの具体例を示す図である。ロゴ情報テーブルは、複数のロゴ情報レコードを有する。ロゴ情報レコードは、ロゴＩＤ、配布条件、ロゴ画像データの各値を有する。ロゴとは、配布条件を満たしたユーザに対して与えられる画像である。
【００３２】
ロゴＩＤは、ロゴを一意に表す識別情報である。配布条件は、ロゴがユーザに対して与えられる条件を示す。配布条件は、例えば予め定められた複数のマンホールの画像が同一のユーザによってサーバ２０に対して登録されたことであってもよい。配布条件は、例えばある所定のエリアにおいて所定数のマンホールの画像が同一のユーザによってサーバ２０に対して登録されたことであってもよい。配布条件は、例えば所定の評価を行った回数が同一のユーザによってサーバ２０に対して登録されたことであってもよい。配布条件は、例えば所定の複数のユーザ（例えばチームを構成するユーザ）によって所定の評価を行った回数がサーバ２０に対して登録されたことであってもよい。配布条件は、どのような内容であってもよい。
【００３３】
ロゴ画像データは、ユーザに対して与えられるロゴの画像のデータを示す。
制御部２７は、ＣＰＵがサーバプログラムを実行することによって、ユーザ情報制御部２７１、マンホール情報制御部２７２、評価情報制御部２７３及びロゴ情報制御部２７４として機能する。
【００３４】
ユーザ情報制御部２７１は、ユーザ情報記憶部２３に登録されているユーザ情報テーブルを制御する。ユーザ情報制御部２７１は、例えば新たなユーザが登録される場合に、新たなユーザに応じたユーザ情報レコードを生成し、ユーザ情報レコードをユーザ情報テーブルに追加する。ユーザ情報制御部２７１は、例えばユーザからマンホールの画像データが受信された場合、送信元のユーザのユーザＩＤに応じたユーザ情報レコードに、マンホールの画像データを登録し、登録済みマンホールＩＤを追加する。ユーザ情報制御部２７１は、配布条件を満たしたユーザに対してロゴ情報制御部２７４がロゴを与えた場合、与えられたロゴのロゴＩＤをユーザ情報レコードに登録する。ユーザ情報制御部２７１は、その他にも、様々なタイミングでユーザ情報レコードを更新する。
【００３５】
マンホール情報制御部２７２は、ユーザ端末１０からマンホールの評価に関する情報（例えば後述する登録情報）が受信されると、受信されたマンホールの情報が、マンホール情報テーブルに既に登録されているマンホールに関する情報であるか否か判定する。例えば、ユーザ端末１０から新たに受信されたマンホールの位置情報が、マンホール情報テーブルに既に登録されているいずれかのマンホール情報レコードの位置情報の所定範囲内に位置している場合には、マンホール情報制御部２７２は、既に登録されているマンホールの情報であると判定する。この場合、マンホール情報制御部２７２は、該当するマンホール情報レコードのマンホールＩＤを評価情報制御部２７３に通知する。一方、例えば、ユーザ端末１０から新たに受信されたマンホールの位置情報が、マンホール情報テーブルに既に登録されているいずれかのマンホール情報レコードの位置情報の所定範囲内に位置していない場合には、マンホール情報制御部２７２は、新たなマンホールの情報であると判定する。この場合、マンホール情報制御部２７２は、受信されたマンホールに関する情報に基づいて新たなマンホール情報レコードを生成する。そして、マンホール情報制御部２７２は、生成されたマンホール情報レコードをマンホール情報テーブルに登録する。そして、マンホール情報制御部２７２は、新たに登録されたマンホールＩＤを評価情報制御部２７３に通知する。
【００３６】
評価情報制御部２７３は、ユーザ端末１０から評価に関する情報が送付されると、受信した評価の情報に基づいて新たな評価情報レコードを生成する。そして、評価情報制御部２７３は、評価がなされたマンホールのマンホールＩＤに対応する評価情報テーブルに対して、新たに生成された評価情報レコードを登録する。このとき、評価情報制御部２７３は、受信された評価がどのマンホールＩＤに対応する評価であるかについては、マンホール情報制御部２７２から受ける通知に基づいて判定してもよい。
【００３７】
また、評価情報制御部２７３は、新たな評価情報レコードを登録すると、評価の送信元であるユーザに対してクーポン及び関連情報を送信する。具体的には以下のように動作してもよい。まず、評価情報制御部２７３は、受信された評価に含まれる位置情報を取得する。評価情報制御部２７３は、エリア情報記憶部２２のエリア情報テーブルを参照し、受信された位置情報がどの領域に属するかを判定する。評価情報制御部２７３は、評価に関する情報を送信したユーザ端末１０のユーザに対し、判定された領域のエリアＩＤに対応するクーポン情報及び関連情報を送信する。
【００３８】
評価情報制御部２７３は、所定のタイミングで、マンホールＩＤ毎に評価の情報を集計する。例えば、日時が所定の期間（例えば集計時から遡って３ヶ月間、１ヶ月間、１週間など）に該当する評価情報レコードの評価の値の統計値（例えば平均値、最頻値など）が所定の条件（例えば予め定められた閾値以下であること）を満たすか否か判定する。所定の条件とは、マンホールにおいて劣化等の悪い事象が生じていると推認できる条件である。例えば、マンホールの外観の５段階評価において、５回以上の「“１”の非常に汚い」が評価された場合や、マンホールの破損の有無において２回以上の「ある」が評価された場合である。所定の条件が満たされた場合、評価情報制御部２７３は、予め定められた者に対して警告を出力する。例えば、予め定められた者のメールアドレスや携帯端末に対して、所定の条件が満たされたマンホールのマンホールＩＤと共に、警告を示す画像又は文字が送信されてもよい。
【００３９】
ロゴ情報制御部２７４は、所定のタイミングで、ユーザＩＤ毎に各ロゴ情報レコードの配布条件について満たしているか否か判定する。配布条件が満たされた場合、ロゴ情報制御部２７４は、配布条件を満たしたユーザに対し、配布条件が満たされたロゴ情報レコードのロゴを与える。ロゴの付与において、ロゴ情報制御部２７４は例えば以下のように動作してもよい。まず、ロゴ情報制御部２７４は、ユーザ情報記憶部２３からユーザ情報レコードを読み出す。ロゴ情報制御部２７４は、読み出されたユーザ情報レコードの登録済みマンホールＩＤを取得する。ロゴ情報制御部２７４は、ロゴ情報記憶部２６からロゴ情報レコードを順に読み出し、登録済みマンホールＩＤが配布条件を満たしているか否か判定する。配布条件が満たされた場合、ロゴ情報制御部２７４は、処理の対象となっているユーザ情報レコードの取得済みロゴＩＤに対し、配布条件が満たされたロゴ情報レコードのロゴＩＤを新たに登録する。このような処理によって、配布条件を満たしたユーザに対してロゴが与えられる。
【００４０】
図８は、ユーザ端末１０からサーバ２０に対してマンホールの評価が登録される際の処理の具体例を示すシーケンスチャートである。まず、ユーザがユーザ端末１０を操作することによってマンホールの画像を撮像する（ステップＳ１０１）。制御部１７は、形状判定処理を実行することによって、撮像部１４によって撮像された画像内に特定形状が存在するか否か判定する（ステップＳ１０２）。
【００４１】
図９は、形状判定処理の具体例を示すフローチャートである。まず、制御部１７は、所定領域（例えば後述する枠３１３）内で検出されるエッジのうち、曲率半径が所定の範囲内（例えば第一の閾値αより大きく、第二の閾値βより小さい値域）のものが存在するか否か判定する（ステップＳ２０１）。このような条件を満たすエッジが存在する場合（ステップＳ２０１−ＹＥＳ）、制御部１７は、撮像画像内に特定形状が存在すると判定する（ステップＳ２０２）。後述の判定ステップＳ１０３のために、「位置情報取得許可」ステータス情報をセットする（ステップＳ２０５）。
【００４２】
一方、上記条件を満たすエッジが存在しない場合（ステップＳ２０１−ＮＯ）、制御部１７は、所定領域内で検出されるエッジのうち、円形を成すエッジであって、面積比率が所定の閾値γより大きいという条件を満たすものが存在するか否か判定する（ステップＳ２０３）。面積比率とは、エッジが成す円形の面積を、所定の値（例えば上記枠３１３が成す円の面積）で除算した値である。このような条件を満たすエッジが存在する場合（ステップＳ２０３−ＹＥＳ）、制御部１７は、撮像画像内に特定形状が存在すると判定する（ステップＳ２０２）。一方、このような条件を満たすエッジが存在しない場合（ステップＳ２０３−ＮＯ）、制御部１７は、撮像画像内に特定形状が存在しないと判定する（ステップＳ２０４）。特定形状の存在判定においては、前述の曲率半径の判定と面積比率の判定はどちらか一方のみで形状判定処理とすることも可能である。後述の判定ステップ１０４のために、「エラー」ステータス情報をセットする（ステップＳ２０６）。
【００４３】
図８の説明に戻る。撮像画像内に特定形状が存在しないと判定された場合（ステップＳ１０２−ＮＯ）、制御部１７はエラーを出力する（ステップＳ１０４）。例えば、制御部１７は、表示部１３において特定形状が撮像画像から検出されていないことを示すエラー表示を出力する。
【００４４】
一方、撮像画像内に特定形状が存在すると判定された場合（ステップＳ１０３−ＹＥＳ）、制御部１７は、位置情報取得部１６からその時点の位置情報を取得する（ステップＳ１０５）。制御部１７は、表示部１３に表示情報の入力を促すための画面（以下「評価入力画面」という。）を表示させる。このときユーザは評価の内容を行わず評価入力画面を終了させることが可能である。制御部１７は、ユーザの操作によって評価が入力されると、入力に応じて評価情報を取得する（ステップＳ１０６）。評価情報には、例えば評価が行われた日時、評価を行ったユーザのユーザＩＤ、評価の内容が含まれる。制御部１７は、特定形状を含む撮像画像、位置情報及び評価情報を含む登録情報を生成する（ステップＳ１０７）。そして、制御部１７は、生成された登録情報を、通信部１１を介してサーバ２０へ送信する（ステップＳ１０８）。
【００４５】
サーバ２０の制御部２７は、通信部２１を介してユーザ端末１０から登録情報を受信すると、受信された登録情報に基づいて登録処理を行う（ステップＳ１０９）。図１０は、登録処理の具体例を示すフローチャートである。以下、登録処理の具体例について説明する。
【００４６】
まず、マンホール情報制御部２７２は、受信された登録情報に含まれる位置情報に基づいて、登録情報に含まれるマンホールの情報がマンホール情報テーブルに既に登録されているマンホールに関する情報であるか否か判定する（ステップＳ３０１）。マンホール情報制御部２７２は、新たなマンホールの情報であると判定した場合（ステップＳ３０１−ＮＯ）、受信された登録情報に基づいて新たなマンホール情報レコードを生成する（ステップＳ３０２）。そして、マンホール情報制御部２７２は、生成されたマンホール情報レコードを登録し、新たに登録されたマンホールＩＤを評価情報制御部２７３に通知する。評価情報制御部２７３は、受信された登録情報に含まれる評価情報及び撮像画像と、に基づいて評価情報レコードを生成する（ステップＳ３０４）。評価情報制御部２７３は、新たに生成された評価情報レコードを、通知されたマンホールＩＤに応じた評価情報テーブルに対して登録する。このようにして登録処理は完了する。
【００４７】
マンホール情報制御部２７２は、既に登録されているマンホールに関する情報であると判定した場合（ステップＳ３０１−ＹＥＳ）、そのマンホールのマンホールＩＤを取得する（ステップＳ３０３）。マンホール情報制御部２７２は、取得されたマンホールＩＤを評価情報制御部２７３に通知する。評価情報制御部２７３は、受信された登録情報に含まれる評価情報及び撮像画像と、に基づいて評価情報レコードを生成する（ステップＳ３０４）。評価情報制御部２７３は、新たに生成された評価情報レコードを、通知されたマンホールＩＤに応じた評価情報テーブルに対して登録する。このようにして登録処理は完了する。
【００４８】
図８の説明に戻る。登録処理が完了すると、評価情報制御部２７３は、受信された登録情報に含まれる位置情報に応じたクーポン情報及び関連情報をエリア情報記憶部２２から取得する（ステップＳ１１０）。評価情報制御部２７３は、取得されたクーポン情報及び関連情報を、通信部２１を介して、登録情報の送信元であるユーザ端末１０に対して送信する（ステップＳ１１１）。
【００４９】
ユーザ端末１０の制御部１７は、クーポン情報及び関連情報を受信すると、受信されたクーポン情報及び関連情報を記憶部１５に登録し表示部１３に表示する（ステップＳ１１２）。
【００５０】
次に、ユーザ端末１０の表示部１３に表示される画面について説明する。図１１及び図１２は、マンホールの画像を撮像するためのモード（以下「撮像モード」という。）において制御部１７が表示部１３に表示される画面の具体例である。撮像モードは、例えばユーザが操作部１２を操作することによって所定のアプリケーションを起動し、アプリケーション内において撮像モードに移行するための操作が実行されることによって開始される。
【００５１】
撮像モードでは、表示部１３にはプレビュー領域３１１及び撮像操作領域３１２が表示される。プレビュー領域３１１には、枠３１３が表示される。枠３１３は、プレビュー領域３１１の略中央に配置される。枠３１３は、特定形状の一例を表す。例えば、特定形状に含まれる円の円周の一部（例えば３箇所）が欠けた図形として枠３１３が表示されてもよい。
【００５２】
プレビュー領域３１１には、撮像部１４によって随時撮像されている画像（以下「プレビュー画像」という。）が表示される。プレビュー領域３１１に表示されるプレビュー画像は、所定のタイミングで更新される。図１２に示されるように、プレビュー画像において撮像対象となっているマンホールの画像３２１が表示されている場合、ユーザは画像３２１が枠３１３に略一致するようにユーザ端末１０を移動させることによって、特定形状の条件を満たした撮像画像を容易に撮影することが可能となる。
【００５３】
撮像操作領域３１２には、撮像を指示するためのボタンである撮像ボタン３１４が表示される。ユーザによって撮像ボタン３１４に対する操作（例えばタップ）がされると、制御部１７は撮像部１４に対し撮像を実行させる。
【００５４】
図１３は、評価入力画面の具体例を示す図である。撮像モードにおいて特定画像が含まれた画像が撮像されると、制御部１７はマンホールの評価情報を入力するためのモード（以下「評価モード」という。）に移行する。評価入力画面は、評価モードにおいて制御部１７が表示部１３に表示させる画面である。
【００５５】
評価モードでは、表示部１３には撮像画像表示領域３３１及び評価操作領域３３２が表示される。撮像画像表示領域３３１には、撮像モードにおいて撮像された画像が表示される。評価操作領域３３２には、評価情報を入力するためのボタンである複数の評価ボタン３３３と送信ボタン３３４とが表示される。図１３の例では、汚いか綺麗かを示す評価項目に対して５つの評価ボタン３３３が表示されている。ユーザが最も右の評価ボタン３３３に対して操作（例えばタップ）すると、非常に綺麗であることを示す“５”の評価であることが入力される。この場合、制御部１７は、汚いか綺麗かを示す評価項目において“５”の評価内容が入力されたと判定する。臭いか無臭かを示す評価項目など、他の評価項目についても同様である。全ての評価項目について評価が示されると、送信ボタン３３４がアクティブになる。ユーザが送信ボタン３３４に対して操作（例えばタップ）すると、撮像画像表示領域３３１に表示されている撮像画像と、位置情報と、評価操作領域３３２において入力された評価情報と、を含む登録情報が制御部１７によって生成される。そして、制御部１７は、生成された登録情報をサーバ２０へ送信する。
【００５６】
図１４は、共有画面の具体例を示す図である。評価モードにおいて登録情報がサーバ２０へ送信されると、制御部１７はマンホールの撮像画像を他ユーザと共有するためのモード（以下「共有モード」という。）に移行する。共有画面は、共有モードにおいて制御部１７が表示部１３に表示させる画面である。
【００５７】
共有画面では、表示部１３には撮像画像表示領域３４１及び共有操作領域３４２が表示される。撮像画像表示領域３４１には、撮像モードにおいて撮像された画像が表示される。共有操作領域３４２には、撮像画像を他ユーザと共有することを入力するためのボタンである複数の共有ボタン３４３が表示される。各共有ボタン３４３には、異なる共有形態を示す画像が表示されてもよい。共有の形態としては、ミニブログであってもよいし、ソーシャルネットワーキングサービスであってもよいし、他の形態であってもよい。ユーザが共有ボタン３４３に対して操作（例えばタップ）すると、操作された共有ボタン３４３に応じた共有アプリケーションが起動される。ユーザ端末１０の制御部１７は、起動された共有アプリケーションに対し少なくとも撮像画像を渡す。その後、共有アプリケーションの動作によって、撮像画像が他のユーザとの間で共有される。
【００５８】
図１５は、クーポンを利用するためのモード（以下「クーポンモード」という。）において制御部１７が表示部１３に表示させる画面（以下「クーポン画面」という。）の具体例である。クーポンモードは、例えばユーザが操作部１２を操作することによって所定のアプリケーションを起動し、アプリケーション内においてクーポンモードに移行するための操作が実行されることによって開始される。
【００５９】
クーポン画面では、表示部１３には複数のクーポン表示領域３５１が表示される。クーポン表示領域３５１には、ユーザがこれまでに獲得した個々のクーポンに関する情報（クーポン情報）が表示される。ユーザがこれまに獲得した個々のクーポンに関する情報は、ユーザ端末１０の記憶部１５に記録されていてもよいし、サーバ２０のユーザ情報記憶部２３に記録されていてもよい。なお、クーポン表示領域３５１には、その時点で利用可能なクーポンのみが表示されてもよい。
【００６０】
クーポン表示領域３５１に対して操作（例えばタップ）がなされると、制御部１７は操作されたクーポン表示領域３５１に表示されていたクーポンの詳細な情報を表示部１３の画面に表示する。制御部１７は、クーポンの詳細な情報については、記憶部１５から取得してもよいし、サーバ２０から取得してもよい。ユーザは、例えばユーザ端末１０にクーポンの詳細な情報が表示された状態で店舗に提示することによってクーポンを利用することができる。
【００６１】
図１６は、過去に撮像されたマンホールの画像を閲覧するためのモード（以下「アルバムモード」という。）において制御部１７が表示部１３に表示させる画面（以下「アルバム画面」という。）の具体例である。アルバムモードは、例えばユーザが操作部１２を操作することによって所定のアプリケーションを起動し、アプリケーション内においてアルバムモードに移行するための操作が実行されることによって開始される。
【００６２】
アルバム画面では、表示部１３には複数の撮像画像表示領域３６１が表示される。撮像画像表示領域３６１には、シリアル番号が付与されていてもよい。撮像画像表示領域３６１には、ユーザがこれまでに撮像した個々の撮像画像の縮小画像（例えばサムネイル）が表示される。なお、アルバムモードにおいて、撮像画像ではなく、ユーザがこれまでに獲得したロゴの画像の一覧が表示されてもよい。
【００６３】
以上説明した少なくともひとつの実施形態によれば、撮像画像の送信元であるユーザ端末１０に対してクーポン情報を送信する構成を持つことにより、より効率的に、特定の施設が写った撮像画像をサーバ２０において収集することができる。具体的には以下のとおりである。
【００６４】
通信システム１００では、ユーザは、ユーザ端末１０を操作して特定の施設（例えばマンホール）の画像を撮像し、撮像された画像をサーバ２０に送信することによって、クーポンを取得できる。そのため、クーポンというインセンティブが得られるため、ユーザに対し特定の施設を撮像してサーバ２０に送信することの動機を与える事ができる。そのため、より効率的に複数のユーザから撮像画像を取得することが可能となる。
【００６５】
また、通信システム１００では、撮像画像において特定形状が含まれていなければ撮像画像をサーバ２０に送信することができない。そのため、ユーザに対し、特定の施設が所定以上の大きさや角度で撮像されるように撮像操作を行う動機を与える事ができる。そのため、所定の条件を満たした撮像画像（有用な撮像画像）を複数のユーザからより効率的に取得することが可能となる。
【００６６】
また、本実施形態の通信システム１００においては、所定の条件においてマンホール画像を撮影し、位置情報を取得することにより、位置情報を介して店舗サービスや関連情報を提供することができる。また、本実施形態の通信システム１００においては、図１４に示されるように、システム全体がソーシャルネットワークサービスとして活用できる。そのため、不特定多数のユーザに対して様々なメリットを提供することが可能となり、より効率的に特定の施設が写った撮影画像を取得することのできる通信システムが実現することが可能となる。また、クーポンや関連情報を提供する者にとっては、不特定多数のユーザに対して広告や集客の効果が期待できるクーポンや関連情報を配信することが可能となる。そのため、広告や集客の効果を享受することが可能となる。
【００６７】
（変形例）
撮像画像において特定形状が含まれているか否かの判定は、必ずしもユーザ端末１０において実行される必要は無い。例えば、このような判定はサーバ２０の制御部２７によって実行されてもよい。この場合、ユーザ端末１０の制御部１７は、特定形状が含まれているか否かに関わらず、ユーザの操作に応じて撮像画像をサーバ２０に送信する。制御部２７は、受信された撮像画像に特定形状が含まれているか否か判定する。撮像画像に特定形状が含まれている場合には、制御部２７はクーポン情報をユーザ端末１０に送信する。一方、撮像画像に特定形状が含まれていない場合には、制御部２７はクーポン情報をユーザ端末１０に送信しないように構成されてもよい。
【００６８】
ステップＳ１０１からステップＳ１０４の処理は以下のように実行されてもよい。ユーザ端末１０において撮像部１４が起動されると、制御部１７はユーザによって操作部１２において撮像操作が行われる前であっても、プレビュー画像を取得する。制御部１７は、プレビュー画像において特定形状が存在するか否か判定する。プレビュー画像において特定形状が存在しないと判定した場合、制御部１７は特に表示態様を変更することなく撮像操作が行われるまでプレビュー画像を更新する。一方、プレビュー画像において特定形状が存在すると判定した場合、制御部１７は表示部１３における表示態様を変更する。例えば、制御部１７は、図１２に示される枠３１３の表示態様（色、太さ、点滅など）を変更してもよい。例えば、制御部１７は、図１２に示されるプレビュー領域３１１の表示態様（背景色など）を変更してもよい。このように構成されることによって、ユーザにおいて撮像操作を行う前から特定形状が撮像されるか否かが容易に判定可能となる。そのため、特定形状が含まれていない撮像画像を撮像してしまうことを抑止し、作業効率を向上させることが可能となる。
【００６９】
上述した実施形態では、登録情報として撮像画像、位置情報及び評価情報がユーザ端末１０からサーバ２０に送信された。ただし、登録情報は必ずしもこれら３つの情報全てを含まなくてもよい。例えば、登録情報は、撮像画像及び位置情報を含み、評価情報を含まないように構成されてもよい。例えば、登録情報は、撮像画像及び評価情報を含み、位置情報を含まないように構成されてもよい。この場合、評価情報は、位置情報に代えて特定の施設（例えばマンホール）を特定できる情報（例えばマンホールＩＤ）を含むように構成されてもよい。
【００７０】
上述した実施形態では、クーポン情報は登録情報がサーバ２０において受信されたタイミングでユーザ端末１０に送信されている。ただし、このタイミングでは、クーポン情報がユーザ端末１０に対して付与がなされれば十分であり、必ずしもこのタイミングで送信が行われなくてもよい。例えば、図８のシーケンスチャートのステップＳ１１０の処理の後に、評価情報制御部２７３は、取得されたクーポン情報を、登録情報の送信元であるユーザ端末１０のユーザＩＤに対応付けてユーザ情報テーブルに登録してもよい。
【００７１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７２】
１００…通信システム、１０…ユーザ端末、１１…通信部、１２…操作部、１３…表示部、１４…撮像部、１５…記憶部、１６…位置情報取得部、１７…制御部、２１…通信部、２２…エリア情報記憶部、２３…ユーザ情報記憶部、２４…マンホール情報記憶部、２５…評価情報記憶部、２６…ロゴ情報記憶部、２７…制御部、２７１…ユーザ情報制御部、２７２…マンホール情報制御部、２７３…評価情報制御部、２７４…ロゴ情報制御部、２０…サーバ、３０…ネットワーク、３１１…プレビュー領域、３１２…撮像操作領域、３１３…枠、３１４…撮像ボタン、３３１…撮像画像表示領域３３１、３３２…評価操作領域、３３３…評価ボタン、３３４…送信ボタン、３４１…撮像画像表示領域、３４２…共有操作領域、３４３…共有ボタン、３５１…クーポン表示領域、３６１…撮像画像表示領域
【図１】
2018147194.tif 000003
【図２】
2018147194.tif 000004
【図３】
2018147194.tif 000005
【図４】
2018147194.tif 000006
【図５】
2018147194.tif 000007
【図６】
2018147194.tif 000008
【図７】
2018147194.tif 000009
【図８】
2018147194.tif 000010
【図９】
2018147194.tif 000011
【図１０】
2018147194.tif 000012
【図１１】
2018147194.tif 000013
【図１２】
2018147194.tif 000014
【図１３】
2018147194.tif 000015
【図１４】
2018147194.tif 000016
【図１５】
2018147194.tif 000017
【図１６】
2018147194.tif 000018